(57)【要約】【課題】スループット低下の要因に応じて適切なスループット改善策を選択する。【解決手段】スループットの劣化が検出された場合にその劣化要因が回線品質の劣化であるのか或いはトラフィックの集中であるのかを判定する。そして、スループットの劣化要因がトラフィックの集中である場合には、周辺にサービングセクタの切替候補となる基地局が存在するか否かを判定し、存在すればサービングセクタの切替をサービング基地局に要求する。一方、スループットの劣化要因が回線品質の劣化である場合には、周辺にサービングセクタの追加候補となる基地局が存在するか否かを判定し、存在すればサービングセクタの追加をサービング基地局に要求する。また、周辺にサービングセクタの切替候補となる基地局或いは追加候補となる基地局が存在しない場合には、同一サービングセクタ内の別の無線チャネルへの回線切替をサービング基地局へ要求する。【選択図】      図２
2006217495.tif 000002
【特許請求の範囲】
【請求項１】
各々無線エリアを形成する複数の基地局と、前記無線エリア内で前記基地局との間で無線チャネルを介して無線通信を行う移動局とを具備する無線通信システムにおいて、
前記移動局は、
前記基地局との間で無線通信を行っている状態で、当該無線通信のスループットの劣化を検出する手段と、
前記スループットの劣化が検出された場合に、当該スループットの劣化要因が回線品質の劣化によるものか或いはトラフィックの集中によるものかを判定する手段と、
前記スループットの劣化要因の判定結果に基づいて、当該劣化要因に対応付けて予め用意されたスループット改善要求を前記基地局へ送信する手段と
を備え、
前記基地局は、
前記移動局から送信されるスループット改善要求を受信する手段と、
前記受信されたスループット改善要求に応じて、要求元の移動局との間の無線通信のスループットを改善するための処理を実行する手段と
を備えることを特徴とする無線通信システム。
【請求項２】
各々無線エリアを形成する複数の基地局の少なくとも１つとの間で、無線チャネルを介して無線通信を行う移動通信端末において、
前記基地局との間で無線通信を行っている状態で、当該無線通信のスループットの劣化を検出する手段と、
前記スループットの劣化が検出された場合に、当該スループットの劣化要因が回線品質の劣化によるものか或いはトラフィックの集中によるものかを判定する手段と、
前記スループットの劣化要因の判定結果に基づいて、当該劣化要因に対応付けて予め用意されたスループット改善要求を前記基地局へ送信する手段と
を具備することを特徴とする移動通信端末。
【請求項３】
前記スループット改善要求を送信する手段は、前記スループットの劣化要因の判定結果に基づいて、無線エリアの切替要求と、無線エリアの追加要求と、同一無線エリア内での無線チャネルの切替要求の中から１つを選択し、この選択された要求を前記基地局へ送信することを特徴とする請求項２記載の移動通信端末。
【請求項４】
前記スループット改善要求を送信する手段は、
周辺に無線エリアの候補となる基地局が存在するか否かを判定する手段と、
前記スループットの劣化要因がトラフィックの集中によるものと判定され、かつ周辺に無線エリアの候補となる基地局が存在すると判定された場合に、無線エリアの切替要求を選択して送信する手段と
を備えることを特徴とする請求項３記載の移動通信端末。
【請求項５】
前記スループット改善要求を送信する手段は、
周辺に無線エリアの候補となる基地局が存在するか否かを判定する手段と、
前記スループットの劣化要因が回線品質の劣化によるものと判定され、かつ周辺に無線エリアの候補となる基地局が存在すると判定された場合に、無線エリアの追加要求を選択して送信する手段と
を備えることを特徴とする請求項３記載の移動通信端末。
【請求項６】
前記スループット改善要求を送信する手段は、
周辺に無線エリアの候補となる基地局が存在するか否かを判定する手段と、
前記スループットの劣化要因が回線品質の劣化によるものか或いはトラフィックの集中によるものと判定され、かつ周辺に無線エリアの候補となる基地局が存在しないと判定された場合には、同一無線エリア内での無線チャネルの切替要求を選択して送信する手段と
を備えることを特徴とする請求項３記載の移動通信端末。
【請求項７】
各々無線エリアを形成する複数の基地局の少なくとも１つとの間で無線チャネルを介して無線通信を行う、コンピュータを備えた移動通信端末で使用されるプログラムにおいて、
前記基地局との間で無線通信を行っている状態で、当該無線通信のスループットの劣化を検出する処理と、
前記スループットの劣化が検出された場合に、当該スループットの劣化要因が回線品質の劣化によるものか或いはトラフィックの集中によるものかを判定する処理と、
前記スループットの劣化要因の判定結果に基づいて、当該劣化要因に対応付けて予め用意されたスループット改善要求を前記基地局へ送信する処理と
を、前記コンピュータに実行させることを特徴とするプログラム。
【請求項８】
前記スループット改善要求を送信する処理は、
前記スループットの劣化要因の判定結果に基づいて、無線エリアの切替要求と、無線エリアの追加要求と、同一無線エリア内での無線チャネルの切替要求の中から１つを選択する処理と、
前記選択された要求を前記基地局へ送信する処理と
を前記コンピュータに実行させることを特徴とする請求項７記載のプログラム。
【請求項９】
前記スループット改善要求を送信する処理は、
周辺に無線エリアの候補となる基地局が存在するか否かを判定する処理と、
前記スループットの劣化要因がトラフィックの集中によるものと判定され、かつ周辺に無線エリアの候補となる基地局が存在すると判定された場合に、無線エリアの切替要求を選択する処理と、
前記選択された無線エリアの切替要求を前記基地局へ送信する処理と
を前記コンピュータに実行させることを特徴とする請求項８記載のプログラム。
【請求項１０】
前記スループット改善要求を送信する処理は、
周辺に無線エリアの候補となる基地局が存在するか否かを判定する処理と、
前記スループットの劣化要因が回線品質の劣化によるものと判定され、かつ周辺に無線エリアの候補となる基地局が存在すると判定された場合に、無線エリアの追加要求を選択する処理と、
前記選択された無線エリアの追加要求を前記基地局へ送信する処理と
を前記コンピュータに実行させることを特徴とする請求項８記載のプログラム。
【請求項１１】
前記スループット改善要求を送信する処理は、
周辺に無線エリアの候補となる基地局が存在するか否かを判定する処理と、
前記スループットの劣化要因が回線品質の劣化によるものか或いはトラフィックの集中によるものと判定され、かつ周辺に無線エリアの候補となる基地局が存在しないと判定された場合には、同一無線エリア内での無線チャネルの切替要求を選択する処理と、
前記選択された無線チャネルの切替要求を前記基地局へ送信する処理と
を前記コンピュータに実行させることを特徴とする請求項８記載のプログラム。
【発明の詳細な説明】
【技術分野】
【０００１】
この発明は、基地局と移動通信端末との間で無線チャネルを介して通信を行う無線通信システムに係わり、特に移動通信端末ごとにその回線品質に応じて伝送パラメータを適応的に制御する機能を備えた無線通信システムとその移動通信端末、及びこの移動通信端末で使用されるプログラムに関する。
【背景技術】
【０００２】
無線通信システムにおいて、回線品質に応じて伝送パラメータを適応的に制御する方式として、例えばcdma2000のＨＲＰＤ（High Rate Packet Data）方式が知られている。この方式は、パケット交換網専用の無線インタフェースとして使用されるもので、基地局から移動通信端末へ向かう下り無線チャネルでは、複数の移動通信端末に対しそれぞれタイムスロットを割り当てることによりパケットデータを時分割多重伝送する。
【０００３】
ＨＲＰＤ方式を採用した無線通信システムでは、特定の移動通信端末に対する平均的なスループットを各無線チャネルの回線品質に応じて適応的に制御する。この制御は例えば次のように実現される。すなわち、移動通信端末において基地局との間で使用している無線チャネルの回線品質を測定する。そして、その測定結果をもとに誤り率を一定に保持するために必要な伝送フォーマットを決定し、この決定した伝送フォーマットを移動通信端末から基地局に要求する。基地局は、移動通信端末から要求された伝送フォーマットを使用してパケットデータを移動通信端末へ送信する。
【０００４】
ところで、ＨＲＰＤ方式で検討されている下り伝送フォーマットは、データレート、パケットサイズ、変調方式、符号化率等の複数の伝送パラメータの組み合わせにより決定される。したがって、高いスループットを得るには、高いデータレートと高効率の変調方式の組み合わせを選択する必要がある。しかし、一般的なＨＲＰＤ方式を採用した無線通信システムでは、移動通信端末が測定した無線チャネルのＳＩＮＲ（Signal Interference Noise Ratio）が良好なときには高スループットを実現可能な伝送フォーマットが選択され、逆にＳＩＮＲが低下しているときには回線品質に対する誤り率を一定値以上に維持するために耐干渉特性に優れた伝送フォーマットが選択される。このため、移動通信端末が例えば基地局間のセル境界付近に位置する場合のように、回線品質が劣悪な環境下にある場合には、平均的なスループットが低下する。
【０００５】
そこで、従来ではセル境界付近に位置する移動通信端末に対する下り無線チャネルの送信電力を、隣接する基地局と重ならないように設定された時間帯に増加させる技術が提案されている（例えば特許文献１を参照。）。このようにすれば、セル境界付近に位置する移動通信端末のＣ／Ｉ（搬送波電力／干渉波電力）を改善してそのスループットを高めることが可能となる。
【特許文献１】特開２００２−５８０６３公報
【発明の開示】
【発明が解決しようとする課題】
【０００６】
ところが、上述した従来の技術は、移動通信端末のスループットの低下がＳＩＮＲの低いエリアに位置することに起因して生じる場合には有効であるが、スループットの低下がＳＩＮＲの低下以外の要因、例えばトラフィックの集中に起因して発生する場合には、効果が期待できない。
【０００７】
この発明は上記事情に着目してなされたもので、その目的とするところは、スループット低下の要因に応じて常に適切なスループット改善策を選択できるようにし、これによりスループットを高く保持することが可能な無線通信システムとその移動通信端末及びプログラムを提供することにある。
【課題を解決するための手段】
【０００８】
上記目的を達成するためにこの発明は、各々サービングエリアを形成する複数の基地局と、上記サービングエリア内で前記基地局との間で無線チャネルを介して無線通信を行う移動局とを具備する無線通信システムにあって、上記移動局において、基地局との間で無線通信を行っている状態で当該無線通信のスループットの劣化を検出し、スループットの劣化が検出された場合に当該スループットの劣化要因が回線品質の劣化によるものか或いはトラフィックの集中によるものかを判定する。そして、スループットの劣化要因の判定結果に基づいて当該劣化要因に対応付けて予め用意されたスループット改善要求を基地局へ送信する。一方基地局においては、上記移動局から送信されるスループット改善要求を受信し、この受信されたスループット改善要求に応じて要求元の移動局との間の無線通信のスループットを改善するための処理を実行する。
【発明の効果】
【０００９】
したがってこの発明によれば、スループットの劣化要因が回線品質の劣化に起因する場合でも、またトラフィックの集中に起因する場合でも、これらの要因に対応付けて予め用意されたスループット改善処理が実行される。このため、スループット低下の要因に応じて常に適切なスループット改善策を選択することができ、これによりスループットを高く保持することが可能な無線通信システムとその移動通信端末及びプログラムを提供することができる。
【発明を実施するための最良の形態】
【００１０】
図１は、この発明に係わる無線通信システムの一実施形態を示す概略構成図である。
【００１１】
システムがカバーするサービスエリアには、複数の基地局ＢＳ１〜ＢＳ６が分散配置されている。これらの基地局ＢＳ１〜ＢＳ６はそれぞれセルと呼ばれる無線エリアＥ１〜Ｅ７を形成する。移動通信端末ＭＳ１〜ＭＳ５は、上記無線エリアＥ１〜Ｅ６内において基地局ＢＳ１〜ＢＳ６のいずれかとの間で同期が確立され、待ち受け状態になる。このとき移動通信端末ＭＳ１〜ＭＳ５にとって同期確立先の基地局をサービング基地局と呼び、また当該基地局が形成する無線エリアをサービングエリア又はサービングセクタと呼称する。なお、上記基地局ＢＳ１〜ＢＳ６と移動通信端末ＭＳとの間の無線アクセス方式には、例えばＴＤＭＡ（Time Division Multiple Access）とＣＤＭ（Code Division Multiplex）とを併用した方式が使用される。
【００１２】
図２は、上記移動通信端末ＭＳ１〜ＭＳ５の要部構成を示すブロック図である。  
同図において、基地局ＢＳ１〜ＢＳ６から送信されたスペクトラム拡散信号は、アンテナ１で受信されたのちアンテナ共用器（ＤＵＰ）８を介して受信回路２に入力される。受信回路２は、上記受信されたスペクトラム拡散信号を低雑音増幅器で増幅したのち、周波数変換器により受信ベースバンド信号に周波数変換する。そして、この受信ベースバンド信号に対し所定の帯域制限処理を行ったのち、アナログ／ディジタル（Ａ／Ｄ）変換器３に入力する。Ａ／Ｄ変換器３は、上記入力された受信ベースバンド信号を、チップレートの整数倍に設定されたサンプリングクロックを用いてディジタル信号に変換し、この変換された受信ベースバンド信号を復調回路４に入力する。
【００１３】
復調回路４は、複数のフィンガ回路４１と、ＲＡＫＥ合成器４２と、誤り訂正回路４３とを備える。上記受信ベースバンド信号には異なる伝送経路を介して受信される複数のパスを含んでおり、上記各フィンガ回路４１はそれぞれこれらのパスを拡散符号により逆拡散する。そして、この逆拡散された信号のＩＱ平面座標軸上のシンボル点を復調する。ＲＡＫＥ合成器４２は、上記各フィンガ回路４１から出力される各パスの復調ビット列を位相を一致させた上でシンボル合成する。誤り訂正回路４３は、上記ＲＡＫＥ合成器４２から出力される復調ビット列に対しデインターリーブ処理を行ったのち誤り訂正復号し、さらにＣＲＣ（Cyclic Redundancy Check）による誤り検査を行う。この誤り訂正回路４３から出力された受信データＲＤは図示しない信号処理回路に入力され、この信号処理回路において再生のための音声復号処理及び映像復号処理が行われる。
【００１４】
一方、後述する制御回路５から出力される送信スペクトラム拡散信号は、ディジタル／アナログ変換器（Ｄ／Ａ変換器）６によりアナログ信号に変換されたのち送信回路７に入力される。送信回路７は、入力された送信スペクトラム拡散信号を無線搬送波信号に周波数変換し、さらに所定の送信電力レベルに電力増幅したのち、アンテナ共用器８を介してアンテナ１に供給する。
【００１５】
ところで、この実施形態の移動通信端末ＭＳは制御回路５を備えている。制御回路５は、例えばディジタル信号処理回路（ＤＳＰ；Digital Signal Processor）５と、中央制御ユニット（ＣＰＵ；Central Processing Unit）６とにより構成される。制御回路５は、この発明に係わる機能として、サーチ機能５１と、セクタテーブル５２と、個別チャネル評価機能５３と、レート検出機能５４と、判定機能５５と、下りレート要求生成機能５６と、切替／追加要求生成機能５７と、多重処理機能５８とを備えている。なお、これらの機能５１〜５８はいずれも、アプリケーションプログラムを上記ＣＰＵ及びＤＳＰに実行させることにより実現される。
【００１６】
サーチ機能５１は、移動通信端末ＭＳ１〜ＭＳ５が存在する無線エリアの周辺の基地局から送信されるパイロット信号の品質をそれぞれ検出する。この検出は、上記ＲＡＫＥ合成器４２から出力される復調ビット列をもとに行われる。セクタテーブル５２は、上記サーチ機能５１により検出されたパイロット信号の品質を基地局の識別情報（基地局ＩＤ）に対応付けて記憶する。
【００１７】
個別チャネル評価機能５３は、移動通信端末ＭＳが同期確立先の基地局、つまりサービング基地局との間で無線通信を行う際に、パケットデータ等のユーザ情報の伝送に使用する個別チャネルの回線品質を測定する。この測定は、上記ＲＡＫＥ合成器４２から出力される復調ビット列をもとに行われる。
【００１８】
下りレート要求生成機能５６は、上記個別チャネル評価機能５３により測定された個別チャネルの回線品質をもとに、当該回線品質のもとで下り方向の無線データ伝送を行う上で適切な伝送フォーマットを選択する。そして、この選択した伝送フォーマットをサービング基地局に通知するために必要な形態に変換し、この変換された情報を下り要求レート情報として多重処理機能５８へ出力する。
【００１９】
レート検出機能５４は、下り無線チャネルにおけるスループットの実測値と予測値との差分を評価し、実際に受信したデータの伝送レートが要求値に比べ小さい場合にスループットが劣化したと判断する。スループットの実測値は、例えば復調回路４から出力される受信データＲＤを取り込み、一定時間に受信された受信データＲＤのビット数をカウントすることにより求められる。一方スループットの予測値は、上記下り要求レート情報と、当該下り要求レート情報の送信間隔とから求められる。
【００２０】
判定機能５５は、上記レート検出機能５４によりスループットの劣化が検出された場合に、上記個別チャネル評価機能５３により検出された個別チャネルの回線品質をもとにスループットの劣化要因を判定する。スループットの劣化要因には、個別チャネルの品質劣化と、トラフィックの集中がある。判定機能５５は、検出された個別チャネルの回線品質をしきい値と比較し、回線品質がしきい値以下に劣化している場合にスループットの劣化要因を回線品質の劣化と判断し、それ以外の場合にはスループットの劣化要因をトラフィックの集中と判断する。
【００２１】
判定機能５５はさらに、周辺にサービングセクタの切替候補又は追加候補となる基地局が存在するか否かを検出する。そして、上記スループットの劣化要因の判定結果と、上記サービングセクタの切替候補又は追加候補となる基地局の有無とに基づいて回線制御要求を生成し、生成された回線制御要求を切替／追加要求生成機能５７に通知する。
【００２２】
切替／追加要求生成機能５７は、上記判定機能５４から通知された回線制御要求を無線制御チャネルを使用して伝送するために必要な形態に変換し、この変換された回線制御要求情報を多重処理機能５８へ出力する。
【００２３】
多重処理機能５８は、上記下りレート要求生成機能５６により生成された下り要求レート情報と、上記切替／追加要求生成機能５７により生成された回線制御要求情報とを多重化して多重化制御データを生成する。生成された多重化制御データは、図示しない変調機能によりＱＰＳＫ（Quadrature Phase Shift Keying）等のディジタル変調方式により変調され、さらに拡散符号によりスペクトラム拡散される。そして、このスペクトラム拡散された変調信号は上記Ｄ／Ａ変換器６でアナログ信号に変換されたのち、送信回路７により無線信号に周波数変換されてアンテナ１からサービング基地局に向け送信される。
【００２４】
次に、以上のように構成されたシステムによる回線制御動作を説明する。図３は移動通信端末ＭＳ１〜ＭＳ５における制御手順と内容を示すフローチャートである。なお、ここでは、図１に示す移動通信端末ＭＳ１が基地局ＢＳ１をサービング基地局とし、このサービング基地局ＢＳ１から下りの個別チャネルを使用してパケットデータを受信する場合を例にとって説明する。
【００２５】
移動通信端末ＭＳ１の制御回路５は、個別チャネル評価機能５３により、サービング基地局ＢＳ１との間の無線通信に使用している下り個別チャネルの回線品質を測定する。そして、下りレート要求生成機能５６により、上記測定された個別チャネルの回線品質をもとに当該回線品質の下でパケットデータを受信する上で適切な伝送フォーマットを選択し、この選択された伝送フォーマットを要求するための下り要求レート情報を生成してサービング基地局ＢＳ１へ送信する。サービング基地局ＢＳ１は、上記移動通信端末ＭＳ１から送られた下り要求レート情報に応じ、要求された伝送フォーマットを選択使用してパケットデータを要求元の移動通信端末ＭＣ１へ送信する。
【００２６】
一方、上記パケットデータの受信動作を行いながら移動通信端末ＭＳ１は、ステップ３ａによりスループットの劣化を監視する。このスループットの劣化の監視は、先に述べたレート検出機能５４において、下りの個別チャネルにおけるスループットの実測値と予測値との差分を評価し、実際に受信したデータの伝送レートが要求値に比べ小さいかどうかを判定することにより行われる。
【００２７】
さて、この状態でスループットの劣化が検出されたとする。そうすると移動通信端末ＭＳ１の制御回路５は、判定機能５５によりスループット劣化要因の判定と、その判定結果に基づく回線制御情報の選択を以下のように行う。すなわち、先ずステップ３ｂにおいて、上記個別チャネル評価機能５３により検出された個別チャネルの回線品質をしきい値と比較する。そして、回線品質がしきい値以下に劣化している場合にスループットの劣化要因を回線品質の劣化と判断し、それ以外の場合にはスループットの劣化要因をトラフィックの集中と判断する。
【００２８】
いま仮にスループットの劣化要因がトラフィックの集中にあると判断すると、制御回路５はステップ３ｃに移行し、周辺にサービングセクタの切替候補となる基地局が存在するか否かを判定する。この切替候補の有無の判定は、セクタテーブル５２に保持された周辺基地局の共通パイロット信号の受信品質を評価し、共通パイロット信号の受信品質が回線接続を行うにあたり十分な値であると判断されるものが存在するか否かを判定することにより行う。この判定の結果、サービングセクタの切替候補となる基地局が存在する場合には、ステップ３ｄによりサービングセクタの切替要求を生成してこの要求を回線制御要求としてサービング基地局ＢＳ１へ送信する。
【００２９】
基地局ＢＳ１は、移動通信端末ＭＳ１からサービングセクタの切替要求が到来すると、当該移動通信端末ＭＳ１から所定の手順で報告される周辺基地局リストから切替先として適切な基地局を選択する。例えば、図１では基地局ＢＳ２を選択する。そして、要求元の移動通信端末ＭＳ１及び切替先の基地局ＢＳ２との間でサービング基地局を基地局ＢＳ２へ切り替えるための処理手順を実行する。したがって、以後上記移動通信端末ＭＳ１宛てのユーザ情報（パケットデータ）は、上記切替処理により新たにサービング基地局となった基地局ＢＳ２から上記移動通信端末ＭＳ１に向けて送信される。
【００３０】
一方、スループットの劣化要因が回線品質の劣化にあると判断すると、制御回路５はステップ３ｅに移行し、周辺にサービングセクタの追加候補となる基地局が存在するか否かを判定する。この追加候補の有無の判定も、先に述べた切替候補の有無の判定と同様、セクタテーブル５２に保持された周辺基地局の共通パイロット信号の受信品質を評価することにより行う。この判定の結果、サービングセクタの追加候補となる基地局が存在する場合には、ステップ３ｆによりサービングセクタの追加要求を生成してこの要求を回線制御要求としてサービング基地局ＢＳ１へ送信する。
【００３１】
サービング基地局ＢＳ１は、移動通信端末ＭＳ１からサービングセクタの追加要求が到来すると、当該移動通信端末ＭＳ１から所定の手順で報告される周辺基地局リストから追加対象として適切な基地局を選択する。例えば、図１では基地局ＢＳ２を選択する。そして、要求元の移動通信端末ＭＳ１及び切替先の基地局ＢＳ２との間でサービング基地局を追加するための処理手順を実行する。したがって、以後上記移動通信端末ＭＳ１宛てのユーザ情報は、既存のサービング基地局ＢＳ１と、上記追加処理により新たにサービング基地局となった基地局ＢＳ２から上記移動通信端末ＭＳ１に向けてそれぞれ送信される。
【００３２】
また、上記サービングセクタの切替候補又は追加候補の判定処理において、切替候補又は追加候補として適当な基地局が存在しなかったとする。この場合、制御回路５はステップ３ｈに移行し、同一サービングセクタ内で切替可能な個別チャネルの有無を判定する。そして、切替可能な個別チャネルが見つかると、回線切替要求を生成してサービング基地局ＢＳ１へ送信する。
【００３３】
サービング基地局ＢＳ１は、移動通信端末ＭＳ１から回線切替要求が送られると、この要求に従い現在使用中の個別チャネルから移動通信端末ＭＳ１の接続を解放し、新たに選択した空きの個別チャネルを使用して移動通信端末ＭＳ１に向けユーザ情報を送信する。なお、このとき基地局ＢＳ１が回線交換サービス用として保有する無線チャネルの１つを選択し、この選択された無線チャネルを一時的に使用してユーザ情報を伝送するようにしてもよい。このようにすると、周辺に切替対象又は追加対象として適当な基地局が存在しない場合でも、ユーザ情報の伝送経路を一時的に別チャネルに迂回させることができ、これにより移動通信端末ＭＳ１のスループットを保証することができ、かつシステム全体の動作安定化が期待できる。
【００３４】
以上述べたようにこの実施形態では、移動通信端末において、スループットの劣化が検出された場合にその劣化要因が回線品質の劣化であるのか或いはトラフィックの集中であるのかを判定する。そして、スループットの劣化要因がトラフィックの集中である場合には、周辺にサービングセクタの切替候補となる基地局が存在するか否かを判定し、存在すればサービングセクタの切替をサービング基地局に要求する。一方、スループットの劣化要因が回線品質の劣化である場合には、周辺にサービングセクタの追加候補となる基地局が存在するか否かを判定し、存在すればサービングセクタの追加をサービング基地局に要求する。また、周辺にサービングセクタの切替候補となる基地局或いは追加候補となる基地局が存在しない場合には、同一サービングセクタ内の別の無線チャネルへの回線切替をサービング基地局へ要求するようにしている。
【００３５】
したがって、移動通信端末ＭＳ１〜ＭＳ５においてスループットの劣化が発生した場合に、その劣化要因が回線品質の劣化の場合とトラフィックの集中の場合とでそれぞれ最適なスループット改善策が実行される。このため、個別チャネルの回線品質が劣化した場合は勿論のこと、トラフィックが集中した場合にも高いスループットを維持して、高速度のコンテンツ等の伝送サービスを実現できる。
【００３６】
なお、この発明は上記実施形態に限定されるものではない。例えば、前記実施形態では制御回路５の判定機能５５により生成された要求情報を切替／追加要求生成機能５７から制御チャネルを使用してサービング基地局へ送信するようにした。しかし、それに限らず判定機能５５により生成された要求情報を下りレート要求生成機能５６から個別チャネルを使用して送信するようにしてもよい。
【００３７】
図４はこの場合の移動通信端末の構成を示すブロック図である。なお、同図において前記図２と同一部分には同一符号を付して詳しい説明は省略する。制御回路５において、判定機能５５により生成されたサービングセクタの切替要求や追加要求、及び回線切替要求は、下りレート要求生成機能５９に入力される。
【００３８】
下りレート要求生成機能５９は、個別チャネル評価機能５３により測定された個別チャネルの回線品質をもとに当該回線品質のもとで下り方向の無線データ伝送を行う上で適切な伝送フォーマットを選択し、この選択した伝送フォーマットを個別チャネルにより伝送するために必要な形態に変換して多重処理機能５８へ出力する。またそれと共に、上記判定機能５４からサービングセクタの切替要求や追加要求、回線切替要求が出力された場合には、これらの要求を個別チャネルを使用して伝送するために必要な形態に変換し、この変換された要求情報を多重処理機能５８へ出力する。
【００３９】
このような構成であるから、サービングセクタの切替要求や追加要求、回線切替要求を伝送するために制御チャネルを新たに用意する必要がなくなり、これによりシステム構成を簡素化することができる。
【００４０】
また、スループットの劣化を判定する際には、移動通信端末のクラスに対応付けて判定しきい値を設定し、移動通信端末ごとにそのしきい値を使用してスループットの劣化を判定するようにしてもよい。例えば、移動通信端末のクラスごとに異なるデータ通信料金体系が設定されている場合、高いデータ通信料金体系が設定されたクラスの移動通信端末には、より高速度のデータ通信サービスを享受してもらうために判定しきい値を高く設定する。これに対し安価なデータ通信料金体系が設定されたクラスの移動通信端末には、判定しきい値を低く設定する。
【００４１】
さらに、スループットの劣化要因を判定する他の手法として、スループットの実測値と予測値との差分を利用するものが考えられる。例えば、スループットの実測値と予測値とを比較する。そして、スループットの実測値が予測値より小さくなる頻度が一定値以上になった場合に、このときのスループットの劣化要因をトラフィックの集中と判断する。また、スループットの劣化要因を判定する別の手法としては、前記実施形態で述べた個別チャネルの回線品質の評価結果と、上記したスループットの実測値と予測値との差分とを組み合わせるものであってもよい。
【００４２】
また、前記実施形態では基地局ＢＳ１〜ＢＳ６がそれぞれ１つの無線エリアＥ１〜Ｅ６を形成する場合を例にとって説明したが、１つの基地局が複数のセクタを形成するシステムにもこの発明を適用可能である。その他、移動通信端末の構成、制御回路の構成とその機能等についても、この発明の要旨を逸脱しない範囲で種々変形して実施できる。
【００４３】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００４４】
【図１】この発明に係わる無線通信システムの一実施形態を示す概略構成図。
【図２】この発明に係わる移動通信端末の一実施形態を示す回路ブロック図。
【図３】図２に示す移動通信端末におけるスループット改善要求制御の手順と内容を示すフローチャート。
【図４】この発明に係わる移動通信端末の他の実施形態を示す回路ブロック図。
【符号の説明】
【００４５】
ＢＳ１〜ＢＳ６…基地局、ＭＳ…移動通信端末、Ｅ１〜Ｅ６…無線エリア、１…アンテナ、２…受信回路、３…Ａ／Ｄ変換器、４…復調回路、５…制御回路、６…Ｄ／Ａ変換器、７…送信回路、８…アンテナ共用器（ＤＵＰ）、４１…フィンガ回路群、４２…ＲＡＫＥ合成器、４３…誤り訂正回路、５１…サーチ機能、５２…セクタテーブル、５３…個別チャネル評価機能、５４…レート検出機能、５５…判定機能、５６…下りレート要求生成機能、５７，５９…要求生成機能、５８…多重処理機能。
【図１】
2006217495.tif 000003
【図２】
2006217495.tif 000004
【図３】
2006217495.tif 000005
【図４】
2006217495.tif 000006